(57)【要約】【課題】特定の操作を行うことなく個人認証が行える通信端末と通信端末の個人認証方法とを提供する。【解決手段】取得部２２ａは、通信端末１の周囲の雰囲気から、または、通信端末１の筐体表面の所定箇所に付着した付着物から、ユーザの呼気や毛穴からの分泌物（汗等の匂い物質）、更には、ユーザの用いる香水等の物質の量（検出量）を取得し（ステップＳ１２）、算出部２２ｂは、取得部２２ａにより取得された検出量と、予め登録された当該検出物質の匂い認証用の基準量Ｘとの一致度を算出し（ステップＳ１４）、認証成否判定部２２ｃは、算出部２２ｂにより算出された一致度が所定の基準値Ｙを越えた場合に個人認証が成功したと判定し、一致度が基準値Ｙを越えなかった場合に個人認証が不成功であったと判定する（ステップＳ１５）。【選択図】図４
2009163476.tif 000002
【特許請求の範囲】
【請求項１】
第１の個人認証を行う第１の認証手段を備えた通信端末であって、
当該通信端末の周囲の雰囲気中の所定の物質、または、当該通信端末の筐体表面の所定箇所に付着した所定の物質を検出する検出装置を備え、
前記第１の認証手段は、
前記検出装置から出力される検出データに基づいて前記所定の物質の量を取得する取得手段と、
前記取得手段により取得された前記物質の量と、予め登録された当該物質の認証用基準量との一致度を算出する算出手段と、
前記一致度が所定の基準値を越えた場合に前記第１の個人認証が成功したと判定し、該一致度が該基準値を越えなかった場合に該第１の個人認証が不成功であったと判定する認証成否判定手段と
を有する、ことを特徴とする通信端末。
【請求項２】
当該通信端末の所定機能を制限する制限手段と、
前記所定機能が前記制限手段によって制限されている場合に前記第１の個人認証が成功したと前記認証成否判定手段によって判定されると前記制限を解除する解除手段と
を更に備える、ことを特徴とする請求項１に記載の通信端末。
【請求項３】
前記第１の個人認証とは異なる第２の個人認証を行う第２の認証手段と、
前記認証成否判定手段により前記第１の個人認証が不成功と判定された後、前記第２の認証手段による前記第２の個人認証が成功した場合に、前記第１の個人認証に用いた物質の量を新たな認証用基準量として登録するか否かの選択入力を要求し、登録する旨の選択入力があると、前記第１の個人認証に用いた物質の量を前記新たな認証用基準量に登録する登録手段と
を更に備えることを特徴とする請求項１または２に記載の通信端末。
【請求項４】
前記第１の個人認証とは異なる第２の個人認証を行う第２の認証手段と、
前記認証成否判定手段により前記第１の個人認証が不成功と判定された後、前記第２の認証手段による前記第２の個人認証が成功した場合に、前記第１の個人認証に用いた物質の量を新たな認証用基準量に登録する登録手段と
を更に備えることを特徴とする請求項１または２に記載の通信端末。
【請求項５】
前記制限手段による前記所定機能の制限は、発着信禁止及びキー操作禁止の少なくとも一方を含む当該通信端末の利用制限、並びに、当該通信端末のメモリに格納されている所定データへのアクセス制限、の少なくとも一方を含む、ことを特徴とする請求項１〜４の何れか一項に記載の通信端末。
【請求項６】
前記検出装置は、当該通信端末のマイク、スピーカ、筐体表面における把持部、の何れかに設けられており、前記マイクまたは前記スピーカの周囲の雰囲気中の所定の物質、または、前記把持部に付着した所定の物質を検出する、ことを特徴とする請求項１〜５の何れか一項に記載の通信端末。
【請求項７】
通信端末の周囲の雰囲気中の所定の物質、または、前記通信端末の筐体表面の所定箇所に付着した所定の物質を検出する検出装置を備えた通信端末の個人認証方法であって、
前記検出装置から出力される検出データに基づいて前記所定の物質の量を取得する取得ステップと、
前記取得ステップにおいて取得された前記物質の量と、予め登録された当該物質の認証用基準量との一致度を算出する算出ステップと、
前記算出ステップの後、前記一致度が所定の基準値を越えた場合に個人認証が成功したと判定し、該一致度が該基準値を越えなかった場合に該個人認証が不成功であったと判定する認証成否判定ステップと
を有する、ことを特徴とする通信端末の個人認証方法。
【発明の詳細な説明】
【技術分野】
【０００１】
本発明は、通信端末と通信端末の個人認証方法とに関する。
【背景技術】
【０００２】
従来より、暗証番号に基づく個人認証機能を有する通信端末が開発されている。特許文献１は、暗証番号の入力により個人認証を行う機能を有する。この個人認証の成否に応じて、例えばキーロック等の操作制限の解除の可否が判定される。
【特許文献１】特開２００６−１９１２４５号公報
【発明の開示】
【発明が解決しようとする課題】
【０００３】
しかし、特許文献１の技術の場合、ユーザは、例えば操作制限の解除のための個人認証を行う度に、暗証番号の入力操作を行わなければならないので手間がかかる。そこで本発明の目的は、特定の操作を行うことなく個人認証が行える通信端末と通信端末の個人認証方法とを提供することである。
【課題を解決するための手段】
【０００４】
本発明は、第１の個人認証を行う第１の認証手段を備えた通信端末であって、当該通信端末の周囲の雰囲気中の所定の物質、または、当該通信端末の筐体表面の所定箇所に付着した所定の物質を検出する検出装置を備え、第１の認証手段は、検出装置から出力される検出データに基づいて所定の物質の量を取得する取得手段と、取得手段により取得された物質の量と、予め登録された当該物質の認証用基準量との一致度を算出する算出手段と、一致度が所定の基準値を越えた場合に第１の個人認証が成功したと判定し、該一致度が該基準値を越えなかった場合に該第１の個人認証が不成功であったと判定する認証成否判定手段とを有する、ことを特徴とする。このように、通信端末は、通信端末の周囲の雰囲気から、または、通信端末の筐体の表面に付着した付着物から、例えばユーザの分泌物等の物質を自動的に検出する。そして、通信端末は、この検出した物質と基準量との一致度を自動的に算出し、この一致度に基づいて第１の個人認証の成否を判定する。従って、通信端末によれば、ユーザが特定の操作を行うことなく、例えばユーザの分泌物等に基づいて個人認証が可能となる。
【０００５】
本発明では、当該通信端末の所定機能を制限する制限手段と、所定機能が制限手段によって制限されている場合に第１の個人認証が成功したと認証成否判定手段によって判定されると制限を解除する解除手段とを更に備える。このように、通信端末は、検出物に基づく第１の個人認証が成功した場合に通信端末の所定機能の制限を解除するので、十分なセキュリティが確保できる。
【０００６】
本発明では、第１の個人認証とは異なる第２の個人認証を行う第２の認証手段と、認証成否判定手段により第１の個人認証が不成功と判定された後、第２の認証手段による第２の個人認証が成功した場合に、第１の個人認証に用いた物質の量を新たな認証用基準量として登録するか否かの選択入力を要求し、登録する旨の選択入力があると、第１の個人認証に用いた物質の量を新たな認証用基準量に登録する登録手段とを更に備える。従って、実際に第１の個人認証に用いられた物質の量が、既に登録されている認証用基準量に一致しない場合であっても、この物質の量に基づいて認証用基準量が新たに登録可能となる。例えば、ユーザの体調の変化等により予め登録された認証用基準量と異なる物質（物質の量）が検出された場合であっても、このような物質を新たな認証用基準量に登録できる。このように、予め登録された認証用基準量に揺らぎがあっても（変化しても）、個人認証が可能となる。
【０００７】
本発明では、第１の個人認証とは異なる第２の個人認証を行う第２の認証手段と、認証成否判定手段により第１の個人認証が不成功と判定された後、第２の認証手段による第２の個人認証が成功した場合に、第１の個人認証に用いた物質の量を新たな認証用基準量に登録する登録手段とを更に備える。従って、実際に第１の個人認証に用いられた物質の量が、既に登録されている認証用基準量に一致しない場合であっても、この物質の量に基づいて認証用基準量が新たに登録可能となる。例えば、ユーザの体調の変化等により予め登録された認証用基準量と異なる物質（物質の量）が検出された場合であっても、このような物質を新たな認証用基準量に登録できる。このように、予め登録された認証用基準量に揺らぎがあっても（変化しても）、個人認証が可能となる。
【０００８】
本発明では、制限手段による所定機能の制限は、発着信禁止及びキー操作禁止の少なくとも一方を含む当該通信端末の利用制限、並びに、当該通信端末のメモリに格納されている所定データへのアクセス制限、の少なくとも一方を含む。
【０００９】
検出装置は、当該通信端末のマイク、スピーカ、筐体表面における把持部、の何れかに設けられており、マイクまたはスピーカの周囲の雰囲気中の所定の物質、または、把持部に付着した所定の物質を検出する。このように、検出装置は、ユーザが通信端末を使用している態様で物質を検出するので、ユーザが特定の操作を行うことなく、第１の個人認証が可能となる。
【００１０】
通信端末の周囲の雰囲気中の所定の物質、または、当該通信端末の筐体表面の所定箇所に付着した所定の物質を検出する検出装置を備えた通信端末の個人認証方法であって、検出装置から出力される検出データに基づいて所定の物質の量を取得する取得ステップと、取得ステップにおいて取得された物質の量と、予め登録された当該物質の認証用基準量との一致度を算出する算出ステップと、算出ステップの後、一致度が所定の基準値を越えた場合に個人認証が成功したと判定し、該一致度が該基準値を越えなかった場合に該個人認証が不成功であったと判定する認証成否判定ステップとを有する、ことを特徴とする。このように、通信端末は、通信端末の周囲の雰囲気から、または、通信端末の筐体の表面に付着した付着物から、例えばユーザの分泌物等の物質を自動的に検出する。そして、通信端末は、この検出した物質と基準量との一致度を自動的に算出し、この一致度に基づいて個人認証の成否を判定する。従って、本発明によれば、ユーザが特定の操作を行うことなく、例えばユーザの分泌物等に基づいて個人認証が可能となる。
【発明の効果】
【００１１】
本発明によれば、特定の操作を行うことなく個人認証が行える通信端末と通信端末の個人認証方法とが提供できる。
【発明を実施するための最良の形態】
【００１２】
以下、図面を参照して、本発明に係る好適な実施形態について詳細に説明する。なお、図面の説明において、可能な場合には、同一要素には同一符号を付し、重複する説明を省略する。図１及び図２に、実施形態にかかる通信端末１の構成を示す。通信端末１は、携帯電話等の通信端末である。通信端末１は、通信端末１の所定機能が制限されている時（例えば、キーロック等の操作制限時）にユーザの個人認証を行い、認証が成功した場合にのみ、この所定機能の制限を解除する。ここで、上記の所定機能の制限とは、発着信禁止及びキー操作禁止の少なくとも一方を含む通信端末１の利用制限、並びに、通信端末１のメモリ（後述のＲＡＭ１ｂ、ＲＯＭ１ｃ、記録装置１ｇ等）に格納されている所定データ（例えばユーザの個人データであり、ＰＩＭフォルダやＦｅｌｉＣａ（登録商標）チップ等）へのアクセス制限、の少なくとも一方を含む。以下、このような通信端末１の所定機能を、端末機能と称する場合がある。
【００１３】
更に、上記の個人認証を具体的に説明すると、通信端末１は、通信端末１の周囲の雰囲気から、または、通信端末１の筐体表面の所定箇所に付着した付着物から、ユーザの呼気や毛穴からの分泌物（汗等の匂い物質）、更には、ユーザの用いる香水等を検出し、検出結果が予め登録されたユーザ特有のものである場合に個人認証が成功したと判定する。このような個人認証に用いる物質（ユーザの分泌物や香水等）は匂いを伴うので、以下、この個人認証を匂い認証（第１の個人認証）と称する場合がある。なお、通信端末１は、従来の個人認証（第２の個人認証）、すなわち、暗証番号による認証、指紋による認証等も行える構成を有する（例えば、指紋認証の場合、指紋画像の取得装置、指紋画像の照合装置等を含む第２の個人認証用の基準データ取得照合装置）。
【００１４】
図１に示すように、通信端末１は、物理的には、ＣＰＵ１ａ、ＲＡＭ１ｂ、ＲＯＭ１ｃ、入力装置１ｄ、出力装置１ｅ、通信装置１ｆ、記録装置１ｇ及び検出装置１ｈを有しており、これらはバス１ｉに接続されている。ＣＰＵ１ａは、ＲＯＭ１ｃ等に格納された所定のコンピュータソフトウェアをＲＡＭ１ｂにロードして実行することにより、通信端末１を統括的に制御する。
【００１５】
入力装置１ｄは、データ入力用デバイスであり、入力されたデータをＣＰＵ１ａに出力する。出力装置１ｅは、ＬＣＤ等の表示装置であり、ＣＰＵ１ａから入力された表示用データをＬＣＤ等に表示する。通信装置１ｆは、基地局等を介して他の通信端末等と通信を行うためのインターフェイスを有する。記録装置１ｇは、書き込み／読み出しが自在なメモリであり、ＣＰＵ１ａの実行可能なコンピュータソフトウェアや各種データを格納する。
【００１６】
検出装置１ｈは、匂い認証に用いられる装置である。検出装置１ｈは、検出した物質の量（検出量）を示す検出データをＣＰＵ１ａに送る。検出装置１ｈの検出可能な物質（匂い認証の可能な物質）は、通信端末１の周囲（例えば、スピーカやマイクの周囲）の雰囲気中の所定の物質（例えば、ユーザの呼気に含まれる物質や、耳、毛穴から発散される物質や、ユーザの用いる香水やたばこ等に含まれる物質等）、または、通信端末１の筐体表面の所定箇所（把持部）に付着した所定の物質（例えば、汗等に含まれる物質）である。通信端末１は、このような物質を検出し、この検出結果に基づいて匂い認証を行う。以下、検出装置１ｈは、物質Ａ、物質Ｂ及び物質Ｃを処理するものとし、検出装置１ｈによる物質Ａ、物質Ｂ及び物質Ｃの検出量を、それぞれ、検出量ａ、検出量ｂ及び検出量ｃとする。
【００１７】
検出装置１ｈは、通信端末１のマイク、スピーカや、通信端末１の筐体表面であって操作時にユーザの指や手のひら（皮膚）が接触する箇所（把持部）に設置されている。なお、検出装置１ｈは複数であってもよく、マイクやスピーカ等にそれぞれ一機ずつ設置される構成であってもよい。この場合、複数の検出装置１ｈは、検出する物質（物質の組み合わせ）がそれぞれ異なっている。例えば、マイクには、呼気に含まれる物質の検出が可能な検出装置１ｈが設けられ、通信端末１の筐体表面であって操作時にユーザの皮膚が接触する箇所には、汗に含まれる物質の検出が可能な検出装置１ｈが設けられる。
【００１８】
ＣＰＵ１ａは、図２に示す複数の機能を実現する。すなわち、通信端末１は、機能的には、認証登録部２、制限部４（制限手段）及び解除部６（解除手段）を有する。認証登録部２は、第１認証登録部２１（第２の認証手段）及び第２認証登録部２２（第１の認証手段）を有し、第２認証登録部２２は、取得部２２ａ（取得手段）、算出部２２ｂ（算出手段）、認証成否判定部２２ｃ（認証成否判定手段）及び登録部２２ｄ（登録手段）を有する。認証登録部２、制限部４及び解除部６は、ＣＰＵ１ａがコンピュータソフトウェアを実行し、図１に示す通信端末１の各構成部を動作させることにより実現される機能である。特に、ＣＰＵ１ａは、認証登録部２、制限部４及び解除部６を用いて、図３及び図４のフローチャートに示す処理を実行する。
【００１９】
認証登録部２は、通信端末１の端末機能の制限を解除するための個人認証（第１の個人認証である匂い認証や、第２の個人認証である暗証番号等による従来の個人認証）を行う。認証登録部２は、個人認証用の基準データの登録を行う。この個人認証用の基準データは、匂い認証の場合、匂い認証に用いる基準量Ｘ（検出装置１ｈにより検出される複数の物質の検出量の比を示す後述の正規化された値に対応する）を示すデータであり、暗証番号や指紋等による認証の場合、基準となる暗証番号を示す数字データや指紋等を示す画像データである。この基準データの登録とは、基準データを記録装置１ｇに格納することを意味する。なお、検出物が例えば呼気に含まれる物質であるか汗に含まれる物質であるかに応じて、また認証を行う時間帯に応じて、複数パターンの基準量Ｘが登録可能である。
【００２０】
制限部４は、通信端末１の端末機能の制限の設定を行う。制限部４は、通信端末１の起動時に、通信端末１の端末機能の制限を設定する。解除部６は、通信端末１の端末機能の制限の設定を解除する。解除部６は、認証登録部２による個人認証の成功時にのみ、この端末機能の制限を解除する。
【００２１】
第１認証登録部２１は、第２の個人認証用の基準データ取得照合装置を用いて、暗証番号の入力等による従来の個人認証（第２の個人認証）を行う機能を有する。第１認証登録部２１は、例えば、暗証番号を用いた個人認証の場合、この個人認証の実行時に、番号の入力要求を行い、入力された番号と予め登録された暗証番号とを比較し、両番号が完全に一致した場合にのみ個人認証が成功したと判定する。なお、第１認証登録部２１は、キー挿入による個人認証や指紋による個人認証等のような、暗証番号による個人認証以外の他の従来の個人認証が行える構成であってもよい。
【００２２】
第２認証登録部２２は、検出装置１ｈにより検出される物質の量に基づいて匂い認証（第１の個人認証）を行う機能を有する。第２認証登録部２２は、取得部２２ａ、算出部２２ｂ、認証成否判定部２２ｃ及び登録部２２ｄを含む。取得部２２ａは、検出装置１ｈから出力される検出データに基づいて、検出装置１ｈによって検出される一または複数の物質の検出量を取得する。取得部２２ａは、この検出量を正規化する。
【００２３】
この正規化とは、複数の物質の検出量についての比を算出することを意味する。例えば、取得部２２ａは、（一の物質の検出量）／（全物質の検出量の合計）を算出することによる正規化を行う。具体的に、取得部２２ａは、ａ／ａ＋ｂ＋ｃ、ｂ／ａ＋ｂ＋ｃ、ｃ／ａ＋ｂ＋ｃの各値（以下、正規化された値という場合がある）を算出するという正規化を行う。なお、このような正規化は、ａ／ｂやｂ／ｃ等の比を用いて行ってもよい。第２認証登録部２２は、検出装置１ｈにより検出された物質の絶対量を比較するのではなく、このような正規化された値を比較することによって匂い認証を行う。これにより、検出量の多少にかかわりなく、匂い認証が可能となる。
【００２４】
算出部２２ｂは、取得部２２ａによって正規化された値と、これらの正規化された値に対応する匂い認証用の基準量Ｘとの一致度（例えば差分値等）を算出する。認証成否判定部２２ｃは、算出部２２ｂにより算出される一致度が所定の基準値Ｙを越えた場合に、個人認証が成功したと判定し、この一致度が基準値Ｙを越えなかった場合に個人認証が不成功であったと判定する。
【００２５】
登録部２２ｄは、取得部２２ａにより正規化された値を新たな匂い認証用の基準量Ｘとして登録する旨の指示が入力装置１ｄを介して入力されると（特に、匂い認証が不成功であったと認証成否判定部２２ｃによって判定された後にこの指示が入力されると）、これらの正規化された値を新たな匂い認証用の基準量Ｘとして登録（記録装置１ｇに格納）する。
【００２６】
次に、図３及び図４を参照して、通信端末１の動作を説明する。まず、図３を参照して、匂い認証用の基準量Ｘの登録処理について説明する。通信端末１は、図３に示すフローチャートに従って匂い認証用の基準量Ｘの登録処理を行う。
【００２７】
まず、匂い認証用の基準量Ｘが未登録であり、匂い認証が不可能な場合に、第１認証登録部２１が第２の個人認証を実行し、この個人認証が成功すると（ステップＳ１）、登録部２２ｄは、匂い認証用の基準量Ｘの登録（新規登録または追加登録）を行うか否かの選択入力を要求する（ステップＳ２）。登録部２２ｄは、ステップＳ２において、基準量Ｘの登録を行うか否かの選択入力の要求を示す表示を出力装置１ｅのＬＣＤに表示し、この選択入力を待つ。
【００２８】
ステップＳ２において、基準量Ｘの登録を行う旨の選択入力があると（ステップＳ２；Ｙｅｓ）、登録部２２ｄは、登録用の物質の検出を行う旨を出力装置１ｅのＬＣＤに表示する。この後、取得部２２ａは、ステップＳ３において、検出装置１ｈを初期化し（ステップＳ３）、この初期化した検出装置１ｈにより検出された物質の検出量を取得する（ステップＳ４）。この場合、登録部２２ｄは、検出方法をユーザに示してもよい。取得部２２ａは、ステップＳ４において取得した検出量を正規化する（ステップＳ５）。そして、登録部２２ｄは、この取得部２２ａにより正規化された値を基準量Ｘとして登録する（ステップＳ６）。
【００２９】
（登録処理の変形例１）
なお、登録部２２ｄは、ステップＳ６において、登録する基準量Ｘを用いた匂い認証が行える時間帯の指定入力を要求してもよい。この場合、登録部２２ｄは、ステップＳ６において、取得部２２ａにより正規化された値を、この指定入力された時間帯に関連付けて、基準量Ｘとして登録する（以上、登録処理の変形例１）。
【００３０】
（登録処理の変形例２）
また、検出装置１ｈが複数の場合、登録部２２ｄは、ステップＳ２において、基準量Ｘの登録を行う旨の選択入力があると（ステップＳ２；Ｙｅｓ）、ステップＳ３が行われる前に、何れの検出装置１ｈを用いて基準量Ｘの登録を行うか（換言すると、どのような物質の基準量Ｘを登録するか）の選択入力を要求してもよい。複数の検出装置１ｈは、それぞれ検出する物質（物質の組み合わせ）が異なっている。この場合、取得部２２ａは、ステップＳ３において、この選択入力に応じた検出装置１ｈの初期化を行い、ステップＳ４において、この初期化した検出装置１ｈによって検出された物質の検出量を取得し、ステップＳ５において、この検出量を正規化し、この後、登録部２２ｄは、ステップＳ６において、取得部２２ａにより正規化された値を、この登録処理で用いた（ステップＳ３において初期化された）検出装置１ｈのＩＤ（または、登録する物質の名称）に関連付けて、基準量Ｘとして登録する（以上、登録処理の変形例２）。
【００３１】
（登録処理の変形例３）
なお、上記の変形例２において、更に、登録部２２ｄは、ステップＳ６において、登録する基準量Ｘを用いた匂い認証が行える時間帯の指定入力を要求し、取得部２２ａにより正規化された値を、上記の検出装置１ｈのＩＤ（または、登録する物質の名称）と、この指定入力された時間帯とに関連付けて、基準量Ｘとして登録してもよい（以上、登録処理の変形例３）。
【００３２】
次に、図４を参照して、通信端末１による匂い認証処理を説明する。通信端末１は、図４に示すフローチャートに従って匂い認証処理を行う。まず、通信端末１は、制限部４により端末機能の制限が設定されているとする。この状態において、取得部２２ａは、ステップＳ１１〜ステップＳ１３を行う。ステップＳ１１〜ステップＳ１３の各処理内容は、図３のステップＳ３〜ステップＳ５の各処理内容とそれぞれ同じである。従って、ステップＳ１１〜ステップＳ１３の説明を省略する。
【００３３】
ステップＳ１３の後、算出部２２ｂは、ステップＳ１３において取得部２２ａにより正規化された値と、これらの正規化された値に対応する基準量Ｘ（図３のフローチャートに示す処理等により記録装置１ｇ等に予め登録されている）との一致度（例えば差分値等）を算出する（ステップＳ１４）。ステップＳ１４の後、認証成否判定部２２ｃは、ステップＳ１４において算出された一致度が所定の基準値Ｙを越えているか否か（例えば差分値が所定の基準値を下回っているか否か）を判定し（ステップＳ１５）、一致度が基準値Ｙを越えている、すなわち、匂い認証が成功したと判定した場合（ステップＳ１５；Ｙｅｓ）、ステップＳ１６に移行する。
【００３４】
ステップＳ１６において、解除部６は、現在設定されている端末機能の制限を解除する（ステップＳ１６）。ステップＳ１６の後、取得部２２ａは、所定時間分のタイマをセットし、この所定時間が経過してタイマがアップすると（ステップＳ１７）、ステップＳ１１以降の処理が再度行われる。
【００３５】
ステップＳ１５において、認証成否判定部２２ｃは、判定ステップＳ１４において算出された一致度が基準値Ｙを越えていない、すなわち、匂い認証が不成功であったと判定した場合（ステップＳ１５；Ｎｏ）、ステップＳ１８に移行する。認証成否判定部２２ｃは、ステップＳ１８において、匂い認証以外の他の個人認証（第２の個人認証）を行うか否かの選択入力を要求する（ステップＳ１８）。ステップＳ１８において、第２の個人認証を行わない旨の選択入力があると（ステップＳ１８；Ｎｏ）、制限部４が端末機能の制限の設定を維持してステップＳ１７に移行し、また、ステップＳ１８において第２の個人認証を行う旨の選択入力があると（ステップＳ１８；Ｙｅｓ）、ステップＳ２０に移行する。
【００３６】
ステップＳ２０において、第１認証登録部２１は、第２の個人認証を実行する（ステップＳ２０）。第１認証登録部２１は、この認証結果により認証に成功したか否かを判定する（ステップＳ２１）。ステップＳ２１において、第１認証登録部２１は、認証が不成功であったと判定した場合（ステップＳ２１；Ｎｏ）、ステップＳ１９に移行し、認証が成功であったと判定した場合（ステップＳ２１；Ｙｅｓ）、ステップＳ２２に移行する。
【００３７】
ステップＳ２２において、解除部６は、現在設定されている端末機能の制限を解除する（ステップＳ２２）。ステップＳ２２の後、登録部２２ｄは、ステップＳ１３において正規化された値を新たな基準量Ｘとして登録（追加登録または更新登録）するか否かの選択入力を要求する（ステップＳ２３）。
【００３８】
ステップＳ２３において、基準量Ｘの登録を行う旨の選択入力があった場合（ステップＳ２３；Ｙｅｓ）、登録部２２ｄは、ステップＳ１３において正規化された値を新たな基準量Ｘとして登録（追加登録または更新登録）し、この後ステップＳ１７に移行する（ステップＳ２４）。なお、ステップＳ２４の処理は、図３のステップＳ６の処理（登録処理の変形例１〜３を含む）と同様である。ステップＳ２３において、基準量Ｘの登録を行わない旨の選択入力がされた場合（ステップＳ２３；Ｎｏ）、登録部２２ｄは、ステップＳ１７に移行する。
【００３９】
なお、ステップＳ１６において端末機能の制限が解除されると、認証成否判定部２２ｃは、ステップＳ１２において取得された検出量（ステップＳ１３において算出された正規化された値でもよい）に基づいて、この検出量（またはこの正規化された値）と健康状態とが対応付けられているテーブルデータ（記録装置１ｇに予め格納されている）からユーザの健康状態を特定し、この健康状態を示すデータを出力装置１ｅのＬＣＤ等に表示してもよい。また、このデータテーブルは、基準量Ｘと健康状態とが対応付けられている内容のものであってもよく、この場合、このデータテーブルの内容は、基準量Ｘの登録時にユーザによって登録される。
【００４０】
また、基準量Ｘがユーザにより指定された時間帯（この基準量Ｘを用いた匂い認証が行える時間帯）に関連付けて登録されている場合（登録処理の変形例１の場合）、認証成否判定部２２ｃは、ステップＳ１５において、現在の時間が、この登録された時間帯に含まれているか否かを判定し、含まれていると判定した場合にのみ、ステップＳ１４において算出された一致度が所定の基準値Ｙを越えているか否か（例えば差分値が所定の基準値を下回っているか否か）を判定するようにしてもよい。
【００４１】
また、基準量Ｘが、この基準量Ｘの登録処理で用いられた検出装置１ｈのＩＤ（または、登録する物質の名称）に関連付けて登録されている場合（登録処理の変形例２の場合）、取得部２２ａは、このＩＤの検出装置１ｈを用いてステップＳ１１〜ステップＳ１３の処理を行うようにしてもよい。
【００４２】
また、基準量Ｘが、この基準量Ｘの登録処理で用いられた検出装置１ｈのＩＤ（または、登録する物質の名称）とユーザにより指定された時間帯（この基準量Ｘを用いた匂い認証が行える時間帯）とに関連付けて登録されている場合（登録処理の変形例３の場合）、取得部２２ａは、このＩＤの検出装置１ｈを用いてステップＳ１１〜ステップＳ１３の処理を行い、更に、認証成否判定部２２ｃは、ステップＳ１５において、現在の時間が、この登録された時間帯に含まれているか否かを判定し、含まれていると判定した場合にのみ、ステップＳ１４において算出された一致度が所定の基準値Ｙを越えているか否か（例えば差分値が所定の基準値を下回っているか否か）を判定するようにしてもよい。
【００４３】
また、ステップＳ２２の後、ステップＳ２３の選択入力を行わずに、ステップＳ２２の後に自動的にステップＳ２４に移行する構成であってもよい。この場合、ステップＳ２２の処理が終了すると解除部６はステップＳ２４に移行し、このステップＳ２４において、登録部２２ｄは、ステップＳ１３において正規化された値を新たな基準量Ｘとして登録（追加登録または更新登録）し、この後ステップＳ１７に移行する。
【００４４】
次に、通信端末１の作用効果を説明する。通信端末１は、検出装置１ｈと、匂い認証を行う第２認証登録部２２とを備える。検出装置１ｈは、通信端末１の周囲の雰囲気中の所定の物質、または、通信端末１の筐体表面の所定箇所に付着した所定の物質を検出する装置である。第２認証登録部２２は、取得部２２ａ、算出部２２ｂ及び認証成否判定部２２ｃを有する。取得部２２ａは、匂い検出装置１ｈから出力される検出データに基づいて検出装置１ｈにより検出される所定の物質の検出量を取得する。算出部２２ｂは、取得部２２ａにより取得された検出量の正規化された値と、予め登録された当該物質の基準量Ｘとの一致度を算出する。認証成否判定部２２ｃは、算出部２２ｂにより算出された一致度が所定の基準値Ｙを越えた場合に匂い認証が成功したと判定し、一致度が基準値Ｙを越えなかった場合に匂い認証が不成功であったと判定する。このように、通信端末１は、通信端末１の周囲の雰囲気から、または、通信端末１の筐体の表面に付着した付着物から、ユーザの分泌物等の物質を自動的に検出する。そして、通信端末１は、この検出した物質と基準量Ｘとの一致度を自動的に算出し、この一致度に基づいて匂い認証の成否を判定する。従って、通信端末１によれば、ユーザが特定の操作を行うことなく、ユーザの分泌物等に基づいて個人認証が可能となる。
【００４５】
通信端末１は、制限部４及び解除部６を更に備える。制限部４は、通信端末１の端末機能を制限する。解除部６は、通信端末１の端末機能が制限部４によって制限されている場合に匂い認証が成功したと認証成否判定部２２ｃによって判定されると、制限部４によるキー操作の制限を解除する。このように、通信端末１は、検出物に基づく匂い認証が成功した場合に端末機能の制限を解除するので、十分なセキュリティが確保できる。
【００４６】
通信端末１は、第１認証登録部２１及び登録部２２ｄを更に有する。登録部２２ｄは、第２認証登録部２２に含まれる。第１認証登録部２１は、匂い認証とは異なる従来の他の個人認証を行う。登録部２２ｄは、認証成否判定部２２ｃにより匂い認証が不成功と判定された後、第１認証登録部２１による第２の個人認証（例えば、従来の暗証番号による個人認証等）が成功した場合に、匂い認証に用いた物質の量（算出部２２ｂにより算出された正規化された値）を新たな匂い認証用の基準量Ｘとして登録するか否かの選択入力を要求し、登録する旨の選択入力があると、この匂い認証に用いた物質の量（算出部２２ｂにより算出された正規化された値）を新たな基準量Ｘに登録する。または、通信端末１は、第１認証登録部２１及び登録部２２ｄを更に有し、登録部２２ｄは、第２認証登録部２２に含まれ、第１認証登録部２１は、匂い認証とは異なる従来の他の個人認証を行い、登録部２２ｄは、認証成否判定部２２ｃにより匂い認証が不成功と判定された後、第１認証登録部２１による第２の個人認証（例えば、従来の暗証番号による個人認証等）が成功した場合に、この匂い認証に用いた物質の量（算出部２２ｂにより算出された正規化された値）を新たな基準量Ｘに登録する。従って、実際に匂い認証に用いた物質の量（正規化された値）が、既に登録されている基準量Ｘに一致しない場合であっても、この実際に認証に用いた物質の量に基づいて基準量Ｘが登録可能となる。例えば、ユーザの体調の変化等により予め登録された基準量Ｘと異なる物質（物質の量）が検出された場合であっても、このような物質の正規化された値を新たな基準量Ｘに登録できる。このように、予め登録された基準量Ｘに揺らぎがあっても（変化しても）、匂い認証が可能となる。なお、第１の個人認証が、例えば、ユーザの呼気に基づいて行われる場合に、第２の個人認証を、呼気以外の他の物質（例えば、呼気以外の他の第１の個人認証に用いた物質であり、通信端末１の筐体表面に付着した汗等や、香水等）に基づいて行う個人認証としてもよい。
【００４７】
制限部４による端末機能の制限は、発着信禁止及びキー操作禁止の少なくとも一方を含む通信端末１の利用制限、並びに、通信端末１のメモリ（ＲＡＭ１ｂ、ＲＯＭ１ｃ、記録装置１ｇ等）に格納されている所定データ（例えばユーザの個人データ）へのアクセス制限、の少なくとも一方を含む。従って、制限部４により、端末機能が十分に制限可能となる。
【００４８】
検出装置１ｈは、通信端末１のマイク、スピーカ、筐体表面における把持部、の何れかに設けられており、マイクまたはスピーカの周囲の雰囲気中の所定の物質、または、把持部に付着した所定の物質を検出する。このように、検出装置１ｈは、ユーザが通信端末１を使用している態様で物質を検出するので、ユーザが特定の操作を行うことなく、匂い認証が可能となる。
【図面の簡単な説明】
【００４９】
【図１】実施形態に係る通信端末の構成を示す図である。
【図２】実施形態に係る通信端末の構成を示す図である。
【図３】実施形態に係る通信端末の動作を説明するためのフローチャートである。
【図４】実施形態に係る通信端末の動作を説明するためのフローチャートである。
【符号の説明】
【００５０】
１…通信端末、１ａ…ＣＰＵ、１ｂ…ＲＡＭ、１ｃ…ＲＯＭ、１ｄ…入力装置、１ｅ…出力装置、１ｆ…通信装置、１ｇ…記録装置、１ｈ…検出装置、１ｉ…バス、２…認証登録部、２１…第１認証登録部、２２…第２認証登録部、２２ａ…取得部、２２ｂ…算出部、２２ｃ…認証成否判定部、２２ｄ…登録部、４…制限部、６…解除部
【図１】
2009163476.tif 000003
【図２】
2009163476.tif 000004
【図３】
2009163476.tif 000005
【図４】
2009163476.tif 000006